(57)【特許請求の範囲】
【請求項１】
駆動部と、
前記駆動部の駆動力が伝達されるドラムと、
窓ガラスが連結されるキャリアプレートと、
両端にワイヤエンドが設けられ、前記ワイヤエンドの一方が前記ドラムに、前記ワイヤエンドの他方が前記キャリアプレートに連結されたワイヤとを備え、
前記駆動部の駆動力によって前記キャリアプレートが昇降するウインドレギュレータであって、
前記ドラムは、上面と、下面と、前記ワイヤを巻き付けるワイヤ溝を有する側面を備えた円柱状を呈しており、
前記側面の前記上面側近傍に形成され、当該ドラムの周方向に前記ワイヤの軸方向での前記ワイヤエンドの長さとほぼ同じ長さを有し、当該ドラムの軸方向に前記ワイヤエンドの厚みとほぼ同じ高さを有するスロット部と、
前記スロット部から連続して、前記ワイヤエンドの厚みとほぼ同じ高さを有するように半径内側方向へ形成され、
前記上面側に設けられた天面と、前記下面側に設けられた底面とを有し、
前記ワイヤエンドの一方を収容できる大きさであり、
前記スロット部から当該ドラムの軸方向にずれた位置に設けられたワイヤエンド収容部と、
前記スロット部から前記ワイヤエンド収容部へ前記ワイヤエンドの一方を案内する案内面と、
前記ワイヤエンド収容部の、前記スロット部から周方向へ隣接した位置に設けられ、前記ワイヤ軸方向の大きさが、前記ワイヤエンドの一方の長さの半分以下であり、前記ワイヤエンドを前記ワイヤの軸方向に係止するワイヤエンド係止部と、
前記ワイヤエンド係止部と前記ワイヤ溝とを前記ドラムの周方向につなぐワイヤガイド部とを有するウインドレギュレータ。
【請求項２】
前記案内面は、前記スロット部から前記ワイヤエンド収容部へ向かって傾斜している請求項１記載のウインドレギュレータ。
【請求項３】
前記スロット部は前記上面側に開口している請求項１または２記載のウインドレギュレータ。
【発明の詳細な説明】
【技術分野】
【０００１】
本発明は、車両のドアに適用されるウインドレギュレータに関する。
【背景技術】
【０００２】
車両のドアのインナーパネルに固定して使用されるウインドレギュレータは、一般に、窓ガラスが連結されるキャリアプレートと、両端にワイヤエンドが設けられて、一端がドラムに、他端が前記キャリアプレートに連結されるワイヤと、前記ドラムを回動させることで前記ワイヤを巻き取り又は送り出すことで、前記キャリアプレートと共に窓ガラスを上下に移動させる駆動部とを備える。
【０００３】
ここで、特許文献１には、ドラムの半径方向外側から内側に向かってワイヤの一端に設けられたワイヤエンドを移動させ、その後、該ワイヤエンドをワイヤの軸方向に移動させてドラムに形成された弾性突起を乗り越えさせることで、ワイヤエンドがドラムから脱落しないように連結するウインドレギュレータが開示されている。又、特許文献２には、ドラムの半径方向外側から内側に向かってワイヤの一端に設けられたワイヤエンドを移動させ、その後、該ワイヤエンドをワイヤの軸方向へ移動させることで、ワイヤエンドがドラムから脱落しないように連結するウインドレギュレータが開示されている。
【先行技術文献】
【特許文献】
【０００４】
【特許文献１】実公平５−１５９０号公報
【特許文献２】実開平３−２９６８６号公報
【発明の概要】
【発明が解決しようとする課題】
【０００５】
しかしながら、特許文献１，２に開示されるウインドレギュレータでは、何れもドラムの半径方向外側から内側に向かってワイヤエンドを移動させた後に、該ワイヤエンドを当該ワイヤエンドの長さ分又はそれ以上の長さ分、ワイヤの軸方向に移動させてドラムに連結することで、該ドラムからワイヤエンドが外れ難くしている。従って、これらのウインドレギュレータは、ワイヤエンドのドラムへの連結時に、該ワイヤエンドをワイヤの軸方向へ大きく移動する必要がある。
【０００６】
そのため、上記ウインドレギュレータは、ワイヤの一端に設けられたワイヤエンドをキャリアプレートに連結した状態から、組み立て作業におけるワイヤの他端に設けられたワイヤエンドをドラムに連結するまでの間またはその後に行われるワイヤへの張力付与作業時に、該ワイヤの移動量を多くすることで、ワイヤエンドをワイヤの軸方向に大きく移動させて該ワイヤエンドをドラムに連結しなければならず、組み立て作業が煩雑になるという問題がある。
【０００７】
本発明は、以上のような問題点に鑑みてなされたものであり、ワイヤエンドがドラムから外れ難く、又、ワイヤへの張力付与作業時の該ワイヤの移動量を少なくすることで、組み立て作業を容易に行うことができるウインドレギュレータを提供することを目的とする。
【課題を解決するための手段】
【０００８】
上記目的を達成するために、本発明のウインドレギュレータは、駆動部と、前記駆動部の駆動力が伝達されるドラムと、窓ガラスが連結されるキャリアプレートと、両端にワイヤエンドが設けられ、その一端が前記ドラムに、他端が前記キャリアプレートに連結されたワイヤとを備え、前記駆動部の駆動力によって前記キャリアプレートが昇降するウインドレギュレータであって、前記ドラムは、上面と、下面と、前記ワイヤを巻き付けるワイヤ溝を有する側面を備えた円柱状を呈しており、前記側面の前記上面側近傍に形成され、当該ドラムの周方向に前記ワイヤの軸方向での前記ワイヤエンドの長さとほぼ同じ長さを有し、当該ドラムの軸方向に前記ワイヤエンドの厚みとほぼ同じ高さを有するスロット部と、前記スロット部から連続して、前記ワイヤエンドの厚みとほぼ同じ高さを有するように半径内側方向へ形成され、前記上面側に設けられた天面と、前記下面側に設けられた底面とを有した前記ワイヤエンドを収容できる大きさであり、前記スロット部から当該ドラムの軸方向にずれた位置に設けられたワイヤエンド収容部と、前記スロット部から前記ワイヤエンド収容部へ前記ワイヤエンドを案内する案内面と、前記ワイヤエンド収容部の、前記スロット部から当該ドラムの周方向へ隣接した位置に設けられ、前記ワイヤエンドを前記ワイヤの軸方向に係止するワイヤエンド係止部と、前記ワイヤエンド係止部と前記ワイヤ溝とを当該ドラムの周方向につなぐワイヤガイド部とを有することを特徴としている。
【発明の効果】
【０００９】
（１）本発明のウインドレギュレータは、駆動部の駆動力が伝達されるドラムにおいて、ワイヤの一端に設けられたワイヤエンドを収容するワイヤエンド収容部に、ワイヤエンドをワイヤの軸方向に係止するワイヤエンド係止部が設けられており、該ワイヤエンド係止部を前記ワイヤエンド収容部にワイヤエンドを挿入するためのスロット部に対し、ドラムの周方向に隣接して設けている。従って、本ウインドレギュレータでは、ワイヤに張力を付与する際に、ワイヤエンド収容部に挿入したワイヤエンドを、ワイヤの軸方向に僅かに移動させてワイヤエンド係止部に係止することにより、ワイヤエンドをドラムに連結できるので、組み立て作業が容易である。又、本ウインドレギュレータでは、ワイヤエンド収容部がスロット部に対しドラムの軸方向にずれて形成されており、更に、スロット部からワイヤエンド収容部に前記ワイヤエンドを案内する案内面が設けられている。これにより、本ウインドレギュレータでは、案内面がワイヤエンドのワイヤエンド収容部からの脱出を防止する外れ止めとして作用するので、ワイヤエンド収容部よりワイヤエンドが外れ難い。
【００１０】
（２）本発明のウインドレギュレータは、案内面が傾斜しているので、スロット部からワイヤエンド収容部へワイヤエンドを案内しやすく、組み立て作業を一層容易に行うことができる。
【００１１】
（３）本発明のウインドレギュレータは、スロット部がドラムの上面側に開口しているので、ワイヤエンドを挿入しやすく、組み立て作業を一層容易に行うことができる。
【図面の簡単な説明】
【００１２】
【図１】本発明のウインドレギュレータの正面図。
【図２】ワイヤエンドの拡大図であり、（ａ）平面図、（ｂ）正面図。
【図３】ドラムの拡大図であり、（ａ）平面図、（ｂ）背面図。
【図４】ドラムの拡大断面図であり、（ａ）Ａ−Ａ断面図、（ｂ）Ｂ−Ｂ断面図。
【図５】ドラムへのワイヤエンドの連結方法を説明する拡大図であり、（ａ）平面図、（ｂ）Ｃ−Ｃ断面図。
【図６】ドラムへのワイヤエンドの連結方法を説明する拡大図であり、（ａ）平面図、（ｂ）Ｄ−Ｄ断面図。
【図７】ドラムへのワイヤエンドの連結方法を説明する拡大図であり、（ａ）平面図、（ｂ）Ｅ−Ｅ断面図。
【発明を実施するための形態】
【００１３】
以下、図面を参照しつつ、本発明の実施の形態を説明する。本発明のウインドレギュレータ１は、図外の車両用のドアのインナーパネルに固定して使用するものであり、図１に示すように、図外の窓ガラスが連結されるキャリアプレート２と、該キャリアプレート２をガイドして昇降させるガイドレール３と、該ガイドレール３の上端付近及び下端付近に夫々取り付けられるワイヤガイド４，５と、該ワイヤガイド４から所定距離下方のガイドレール３に取り付けられて、前記図外のドアのインナーパネルへの固定に使用するブラケット６と、前記ガイドレール３の長手方向の中央部付近に取り付けられるハウジング７と、該ハウジング７内に収容されるドラム８と、前記ハウジング７に設けられて、前記ドラム８に駆動力を伝達して回動させる駆動部９とを有している。
【００１４】
更に、本ウインドレギュレータ１では、ワイヤ１０がワイヤガイド４に掛け回されて、一端に設けられた図２に示すワイヤエンド１０ａがドラム８に連結され、他端に設けられたワイヤエンド１０ｂがキャリアプレート２に連結されており、又、ワイヤ１１がワイヤガイド５に掛け回されて、一端に設けられた図外のワイヤエンドがドラム８に連結され、他端に設けられたワイヤエンド１１ａがキャリアプレート２に連結されている。
【００１５】
本発明のウインドレギュレータ１は、上記の構成をとることによって、駆動部９がドラム８を回転駆動して、ワイヤ１０をドラム８に巻き取ると共にワイヤ１１をドラム８より一端側へ送り出すことで前記図外の窓ガラスを上昇させ、又、ワイヤ１０をドラム８より一端側へ送り出すと共にワイヤ１１をドラム８に巻き取ることにより窓ガラスを下降させるものである。
【００１６】
ウインドレギュレータ１は、ドラム８の構成に特徴があり、それ以外の構成については公知のものを採用することできる。従って、以下では、ドラム８の構成を中心に説明する。
【００１７】
前記ドラム８は、図３，４に示すように、上面８ａと、下面８ｂと、側面８ｃとを備える円柱形状を呈している。このドラム８は、中心に、上面８ａに円形に開口し、下面８ｂに正方形に開口する貫通孔であり、図１に示すハウジング７内で当該ドラム８を回動可能に支軸する図外のシャフトを挿通するためのシャフト挿通孔１２と、側面８ｃに形成され、図１に示すワイヤ１０，１１を巻きつけるためのワイヤ溝１３とを有している。又、ドラム８は、上面８ａと下面８ｂとの間を貫通する貫通孔１４ａの下面８ｂ近傍に形成されて、図１に示すワイヤ１１の一端側に設けられている前記図外のワイヤエンドを連結するためのワイヤエンド連結部１４ｂを有している。
【００１８】
更に、ドラム８は、上面８ａ近傍の側面８ｃに形成され、図２に示す前記ワイヤ１０のワイヤエンド１０ａを挿入するための孔であるスロット部１５と、該スロット部１５から連続して形成され、ワイヤエンド１０ａを収容するためのワイヤエンド収容部１６と、前記スロット部１５と前記ワイヤエンド収容部１６との間に設けられ、スロット部１５からワイヤエンド収容部１６へワイヤエンド１０ａを案内する案内面１７と、前記ワイヤエンド収容部１６に収容されたワイヤエンド１０ａをワイヤ１０の軸方向に係止するワイヤエンド係止部１８と、ワイヤエンド１０ａ近傍のワイヤ１０をガイドするワイヤガイド部１９とを有する。
【００１９】
前記スロット部１５は、図３（ａ），４（ａ）に示すように、ドラム８の上面８ａ及び側面８ｃに開口しており、図２に示すワイヤ１０のワイヤエンド１０ａを挿入可能な孔である。このスロット部１５は、ドラム８の周方向に、ワイヤ１０の軸方向でのワイヤエンド１０ａの長さＬとほぼ同じ長さを有し、且つ、ドラム８の軸方向に、前記ワイヤエンド１０ａの厚みＴとほぼ同じ高さを有する。なお、スロット部１５は上面８ａに開口していなくてもよく、上面８ａ側近傍に形成してもよい。ここで、上面８ａ側近傍とは、図３（ｂ）での上下方向において、スロット部１５から下面８ｂまでの距離よりもスロット部１５から上面８ａまでの距離のほうが近い位置である。
【００２０】
前記ワイヤエンド収容部１６は、図３（ａ），図４に示すように、前記スロット部１５から連続して、該スロット部１５に対し、ドラム８の半径内側方向、且つ、該ドラム８の軸方向下側に所定量ずれた位置に形成されている。この所定量は、ワイヤエンド１０ａがワイヤエンド収容部１６から脱落しないような量であり、ずらす量が少ないとワイヤエンド１０ａがワイヤエンド収容部１６から脱落してしまい、ずらす量が多いとワイヤエンド収容部１６へのワイヤエンド１０ａの組み付けが煩雑になるため、ワイヤエンド１０ａの形状から適宜決定するものである。このワイヤエンド収容部１６は、ドラム８の上面８ａ側に、略中央部の開口を挟んで両側に設けられた天面１６ａと、ドラム８の下面８ｂ側に設けられた底面１６ｂとを有しており、図２に示すワイヤ１０のワイヤエンド１０ａを収容可能である。又、ワイヤエンド収容部１６は、ドラム８の軸方向に、前記ワイヤエンド１０ａの厚みＴとほぼ同じ高さを有する。
【００２１】
前記案内面１７は、図４（ａ）に特に表れるように、前記スロット部１５の下面８ｂ側の縁部から、前記ワイヤエンド収容部１６の底面１６ｂへ向かって傾斜した傾斜面であり、スロット部１５からワイヤエンド収容部１６へワイヤエンド１０ａを案内する。
【００２２】
前記ワイヤエンド係止部１８は、図３（ａ）に特に表れるように、前記スロット部１５に対しドラム８の周方向へ隣接した、前記ワイヤエンド収容部１６の側面に形成されており、図２に示すワイヤエンド１０ａのワイヤ１０側の形状に対応して、半円の円弧状に窪んだ形状を有している。又、ワイヤエンド係止部１８には、図４（ａ）に特に表れるように、ワイヤエンド１０ａ近傍のワイヤ１０を挿通するためのスリット１８ａが、ドラム８の側面８ｃに開口して形成されている。
【００２３】
前記ワイヤガイド部１９は、図３（ａ）に特に表れるように、前記ワイヤエンド係止部１８と前記ワイヤ溝１３とをドラム８の周方向に繋ぐ溝として、前記スリット１８ａの底となるように形成されており、図２に示すワイヤエンド１０ａ近傍のワイヤ１０をガイドする。
【００２４】
以上のように各部が構成されるドラム８へのワイヤ１０のワイヤエンド１０ａの連結は、まず、図５に示すように、ワイヤ１０をワイヤ溝１３に巻き付けた後、ワイヤエンド１０ａをスロット部１５に挿入する（図５（ｂ）矢印ｉ）。このスロット部１５は、ドラム８の上面８ａ及び側面８ｃに開口しているので、該ドラム８の斜め上方方向からワイヤエンド１０ａを容易に挿入することができる。又、このワイヤエンド１０ａのスロット部１５への挿入によって、ワイヤエンド１０ａ近傍のワイヤ１０は、ワイヤエンド係止部１８に形成されているスリット１８ａ、及びワイヤガイド部１９に挿入される。その後、図６に示すように、ワイヤエンド１０ａをスロット部１５に更に挿入すると（図６（ｂ）矢印ｉｉ）、前記ワイヤエンド１０ａは、案内面１７に案内されて該ワイヤエンド収容部１６に収容される。
【００２５】
次に、図７に示すように、ワイヤ１０をその軸方向に他端側に移動させること（図７（ａ）矢印ｉｉｉ）、ワイヤエンド１０ａのワイヤ１０側の端面がワイヤエンド係止部１８に当接する。これにより、ワイヤエンド１０ａは、ワイヤ１０の軸方向に係止される。又、ワイヤエンド１０ａ近傍のワイヤ１０は、ワイヤガイド部１９にガイドされる。以上により、ドラム８へのワイヤエンド１０ａの連結が完了する。
【００２６】
以上説明した本発明のウインドレギュレータ１は、ドラム８において、ワイヤ１０の一端に設けられたワイヤエンド１０ａを収容するワイヤエンド収容部１６に、ワイヤ１０の軸方向にワイヤエンド１０ａを係止するワイヤエンド係止部１８が設けられており、該ワイヤエンド係止部１８が、前記ワイヤエンド収容部１６にワイヤエンド１０ａを挿入するためのスロット部１５に対し、当該ドラム８の周方向に隣接している。従って、本ウインドレギュレータ１では、ワイヤ１０に張力を付与する際に、スロット部１５よりワイヤエンド収容部１６に挿入したワイヤエンド１０ａを、ワイヤ１０を他端側へ移動させることで、該ワイヤ１０の軸方向に当該ワイヤエンド１０ａの長さＬより短い距離分だけ動かすことにより案内面１７に係止できる。これにより、本ウインドレギュレータ１では、ドラム８へワイヤエンド１０ａを連結することができるので、ワイヤ１０に張力を付与する際の該ワイヤ１０の移動量が小さく、組み立て作業が容易である。
【００２７】
又、本発明のウインドレギュレータ１では、ワイヤエンド収容部１６がスロット部１５から連続して、該スロット部１５に対し、ドラム８の半径内側方向、且つ、該ドラム８の軸下側方向にずれて形成されており、更に、スロット部１５からワイヤエンド収容部１６にワイヤエンド１０ａを案内する案内面１７が設けられている。これにより、本ウインドレギュレータ１では、案内面１７がワイヤエンド１０ａのワイヤエンド収容部１６からの脱出を防止する外れ止めとして作用するので、ワイヤエンド収容部１６よりワイヤエンド１０ａが外れ難い。
【００２８】
更に、本ウインドレギュレータ１では、スロット部１５のドラム８の周方向の長さがワイヤエンド１０ａの長さＬとほぼ同じであり、且つ、スロット部１５及びワイヤエンド収容部１６のドラム８の軸方向の高さがワイヤエンド１０ａの厚みＴとほぼ同じである。これにより、本ウインドレギュレータ１では、ワイヤエンド収容部１６に収容したワイヤエンド１０ａの移動を規制できるので、ワイヤエンド収容部１６よりワイヤエンド１０ａが一層外れ難い。
【００２９】
又、本発明のウインドレギュレータ１は、案内面１７がスロット部１５からワイヤエンド収容部１６の底面１６ｂに向かって傾斜しているので、スロット部１５からワイヤエンド収容部１６へワイヤエンド１０ａを案内しやすく、組み立て作業を一層容易に行うことができる。
【００３０】
更に、本発明のウインドレギュレータ１は、スロット部１５が、ドラム８の上面８ａ及び側面８ｃに開口しており、該ドラム８の斜め上方方向からワイヤエンド１０ａを容易に挿入できるので、組み立て作業を一層容易に行うことができる。
【００３１】
尚、本実施の形態で示したウインドレギュレータ１は、本発明に係るウインドレギュレータの一態様にすぎず、本発明の要旨を逸脱しない範囲内で種々の変形実施が可能である。
【００３２】
例えば、ワイヤ１１の一端に、ワイヤ１０の一端に設けたワイヤエンド１０ａと同様のワイヤエンドを設け、又、ドラム８にワイヤエンド連結部１４ｂに代わり、スロット部１５、ワイヤエンド収容部１６、案内面１７、ワイヤエンド係止部１８及びワイヤガイド部１９と同様の構成を設けることで、ワイヤ１１の一端に取り付けられた前記ワイヤエンドを、ワイヤエンド１０ａと同様の方法でドラム８へ連結することができる。
【産業上の利用可能性】
【００３３】
本発明に係るウインドレギュレータは、車両用ドアに適用することができる。
【符号の説明】
【００３４】
１  ウインドレギュレータ
２  キャリアプレート
８  ドラム
８ａ  上面
８ｂ  下面
８ｃ  側面
９  駆動部
１０，１１  ワイヤ
１０ａ，１０ｂ，１１ａ  ワイヤエンド
１３  ワイヤ溝
１５  スロット部
１６  ワイヤエンド収容部
１６ａ  天面
１６ｂ  底面
１７  案内面
１８  ワイヤエンド係止部
１９  ワイヤガイド部
【図１】
0005813376.tif 000002
【図２】
0005813376.tif 000003
【図３】
0005813376.tif 000004
【図４】
0005813376.tif 000005
【図５】
0005813376.tif 000006
【図６】
0005813376.tif 000007
【図７】
0005813376.tif 000008